【手続補正書】
【提出日】平成17年5月12日(2005.5.12)
【手続補正１】
【補正対象書類名】明細書
【補正対象項目名】００２８
【補正方法】変更
【補正の内容】
【００２８】
レンズ２０は、ｚ軸に平行な光軸を有しており、照明光源部１０の３つの点光源それぞれから出力された各波長の照明光を、コリメートして平行平面波とし、互いに異なる入射方位で空間光変調素子３０に入射させる。レンズ２０が単一の凸レンズにより構成される場合には、３つの点光源それぞれとレンズ２０との間の間隔は、レンズ２０の焦点距離に等しい。３つの点光源が上記のように配置されていることから、青色の照明光は空間光変調素子３０に垂直入射し、赤色および緑色それぞれの照明光は空間光変調素子３０に斜め入射する。レンズ２０は、各照明光の波長に対して同一の焦点距離を有する色収差補正レンズであるのが好適である。
【手続補正２】
【補正対象書類名】明細書
【補正対象項目名】００５０
【補正方法】変更
【補正の内容】
【００５０】
そして、図１５に示されるように、レンズ４０の後焦点面上における波面変換領域５２ｒ，５２ｇおよび５２ｂを重ねて表すと、赤色の波面変換領域５２ｒの中に緑色の波面変換領域５２ｇが含まれ、緑色の波面変換領域５２ｇの中に青色の波面変換領域５２ｂが含まれる。したがって、マスク５０の開口部５１を青色の波面変換領域５２ｂと同等のものとすることにより、この開口部５１を通過した各色の再生光を観察することで、フルカラーの三次元像を観察することができる。
【手続補正３】
【補正対象書類名】明細書
【補正対象項目名】００５３
【補正方法】変更
【補正の内容】
【００５３】
第１実施形態では、図１６に示されるように、赤色の点光源が位置Ｒ（ｘｒ，０）に配置され、緑色の点光源が位置Ｇ（ｘｇ，０）に配置され、青色の点光源が位置Ｂ（０，０）に配置される。ここで、ｘｒおよびｘｇそれぞれは、
【数１３】
2004102075.tif 000001
なる式で表される。ここで、ｆ１はレンズ２０の焦点距離であり、ｆ２はレンズ４０の焦点距離である。Ｍは光学系の倍率である。
【手続補正４】
【補正対象書類名】明細書
【補正対象項目名】００５４
【補正方法】変更
【補正の内容】
【００５４】
この場合、図１７に示されるように、空間光変調素子３０から発生した赤色の再生光の０次回折波は、レンズ４０により、レンズ４０の後焦点面上において、位置Ｒ’（λｒｆ２／２Ｐ−λｂｆ２／２Ｐ，０）を基準とした矩形領域５２ｒに波面変換される。また、図１８に示されるように、空間光変調素子３０から発生した緑色の再生光の０次回折波は、レンズ４０により、レンズ４０の後焦点面上において、位置Ｇ’（−λｇｆ２／２Ｐ＋λｂｆ２／２Ｐ，０）を基準とした矩形領域５２ｇに波面変換される。また、図１４に示されるように、空間光変調素子３０から発生した青色の再生光の０次回折波は、レンズ４０により、レンズ４０の後焦点面上において、位置Ｂ’（０，０）を基準とした矩形領域５２ｂに波面変換される。
【手続補正５】
【補正対象書類名】明細書
【補正対象項目名】００５５
【補正方法】変更
【補正の内容】
【００５５】
そして、図１９に示されるように、レンズ４０の後焦点面上における波面変換領域５２ｒ，５２ｇおよび５２ｂを重ねて表すと、赤色の波面変換領域５２ｒの中に緑色の波面変換領域５２ｇが含まれ、緑色の波面変換領域５２ｇの中に青色の波面変換領域５２ｂが含まれる。したがって、マスク５０の開口部５１を青色の波面変換領域５２ｂと同等のものとすることにより、この開口部５１を通過した各色の再生光を観察することで、フルカラーの三次元像を観察することができる。
【手続補正６】
【補正対象書類名】明細書
【補正対象項目名】００５９
【補正方法】変更
【補正の内容】
【００５９】
この変形例Ａでは、図２０に示されるように、赤色の点光源が位置Ｒ（０，ｙｒ）に配置され、緑色の点光源が位置Ｇ（０，ｙｇ）に配置され、青色の点光源が位置Ｂ（０，０）に配置される。ここで、ｙｒおよびｙｇそれぞれは、
【数１４】
2004102075.tif 000002
なる式で表される。
【手続補正７】
【補正対象書類名】明細書
【補正対象項目名】００６０
【補正方法】変更
【補正の内容】
【００６０】
この場合、図２１に示されるように、空間光変調素子３０から発生した赤色の再生光の０次回折波は、レンズ４０により、レンズ４０の後焦点面上において、位置Ｒ’（０，λｒｆ２／２Ｐ−λｂｆ２／２Ｐ，０）を基準とした矩形領域５２ｒに波面変換される。また、図２２に示されるように、空間光変調素子３０から発生した緑色の再生光の０次回折波は、レンズ４０により、レンズ４０の後焦点面上において、位置Ｇ’（０，λｇｆ２／２Ｐ−λｂｆ２／２Ｐ，０）を基準とした矩形領域５２ｇに波面変換される。また、図１４に示されるように、空間光変調素子３０から発生した青色の再生光の０次回折波は、レンズ４０により、レンズ４０の後焦点面上において、位置Ｂ’（０，０）を基準とした矩形領域５２ｂに波面変換される。
【手続補正８】
【補正対象書類名】明細書
【補正対象項目名】００６１
【補正方法】変更
【補正の内容】
【００６１】
そして、図２３に示されるように、レンズ４０の後焦点面上における波面変換領域５２ｒ，５２ｇおよび５２ｂを重ねて表すと、赤色の波面変換領域５２ｒの中に緑色の波面変換領域５２ｇが含まれ、緑色の波面変換領域５２ｇの中に青色の波面変換領域５２ｂが含まれる。したがって、マスク５０の開口部５１を青色の波面変換領域５２ｂと同等のものとすることにより、この開口部５１を通過した各色の再生光を観察することで、フルカラーの三次元像を観察することができる。
【手続補正９】
【補正対象書類名】明細書
【補正対象項目名】００６５
【補正方法】変更
【補正の内容】
【００６５】
この変形例Ｂでは、図２４に示されるように、赤色の点光源が位置Ｒ（０，ｙｒ）に配置され、緑色の点光源が位置Ｇ（０，ｙｇ）に配置され、青色の点光源が位置Ｂ（０，０）に配置される。ここで、ｙｒおよびｙｇそれぞれは、
【数１５】
2004102075.tif 000003
なる式で表される。
【手続補正１０】
【補正対象書類名】明細書
【補正対象項目名】００６６
【補正方法】変更
【補正の内容】
【００６６】
この場合、図２１に示されるように、空間光変調素子３０から発生した赤色の再生光の０次回折波は、レンズ４０により、レンズ４０の後焦点面上において、位置Ｒ’（０，λｒｆ２／２Ｐ−λｂｆ２／２Ｐ，０）を基準として下の矩形領域５２ｒに波面変換される。また、図２５に示されるように、空間光変調素子３０から発生した緑色の再生光の０次回折波は、レンズ４０により、レンズ４０の後焦点面上において、位置Ｇ’（０，−λｂｆ２／２Ｐ，０）を基準として上の矩形領域５２ｇに波面変換される。また、図１４に示されるように、空間光変調素子３０から発生した青色の再生光の０次回折波は、レンズ４０により、レンズ４０の後焦点面上において、位置Ｂ’（０，０）を基準として下の矩形領域５２ｂに波面変換される。
【手続補正１１】
【補正対象書類名】明細書
【補正対象項目名】００６７
【補正方法】変更
【補正の内容】
【００６７】
そして、図２６に示されるように、レンズ４０の後焦点面上における波面変換領域５２ｒ，５２ｇおよび５２ｂを重ねて表すと、赤色の波面変換領域５２ｒの中に緑色の波面変換領域５２ｇが含まれ、緑色の波面変換領域５２ｇの中に青色の波面変換領域５２ｂが含まれる。したがって、マスク５０の開口部５１を青色の波面変換領域５２ｂと同等のものとすることにより、この開口部５１を通過した各色の再生光を観察することで、フルカラーの三次元像を観察することができる。
【手続補正１２】
【補正対象書類名】明細書
【補正対象項目名】００７６
【補正方法】変更
【補正の内容】
【００７６】
第２実施形態の場合と比較すると、第３実施形態に係る三次元像表示装置３および三次元像表示方法は、照明光源部１０、空間光変調素子３０およびマスク５０それぞれが同様のものであるが、空間光変調素子３０が反射型のものであることに因り相互の配置が相違する。また、第２実施形態の場合と比較すると、第３実施形態に係る三次元像表示装置３の動作および三次元像表示方法は、レンズ２０がレンズ４０の作用をも兼ねている点、照明光がハーフミラー２５を透過した後にレンズ２０により平行平面波とされて空間光変調素子３０へ入射する点、空間光変調素子３０へ照明光が入射する側と同一の側に再生光が出射する点、および、その再生光がレンズ２０を経た後にハーフミラー２５により反射されて波面変換される点、で相違する。その他の点では、第３実施形態に係る三次元像表示装置３の動作および三次元像表示方法は、第２実施形態と原理的に殆ど同様である。
【手続補正１３】
【補正対象書類名】明細書
【補正対象項目名】００８２
【補正方法】変更
【補正の内容】
【００８２】
レンズ２０は、ｚ軸に平行な光軸を有しており、照明光源部１０の３つの点光源それぞれから出力された各波長の照明光を、コリメートして平行平面波とし、互いに異なる入射方位で空間光変調素子３０に入射させる。レンズ２０が単一の凸レンズにより構成される場合には、３つの点光源それぞれとレンズ２０との間の間隔は、レンズ２０の焦点距離に等しい。３つの点光源が上記のように配置されていることから、青色の照明光は空間光変調素子３０に垂直入射し、赤色および緑色それぞれの照明光は空間光変調素子３０に斜め入射する。レンズ２０は、各照明光の波長に対して同一の焦点距離を有する色収差補正レンズであるのが好適である。
【手続補正１４】
【補正対象書類名】明細書
【補正対象項目名】００９３
【補正方法】変更
【補正の内容】
【００９３】
本実施形態では、マスク５０の開口部５１は、その領域が波長毎に時分割で制御されるのではなく、波長によらず一定とされる。そこで、３波長（λｒ，λｇ，λｂ）のうち最短波長であるλｂに適合した位置と形状とを有する開口部５１を配置する。また、他の２波長（λｒ，λｇ）については、再生光の何れかの次数の回折波が開口部５１を通過するように、空間光変調素子３０への照明光の入射方位が設定される。また、空間光変調素子３０が振幅および位相のうち何れか一方のみを変調することができる場合には、各波長の再生光のうち三次元像構成に用いられる次数の再生波の集光点を一致させて、これらの集光点をマスク５０により遮断する。なお、レンズ２０，４０は、色収差が充分に補正されていて３波長（λｒ，λｇ，λｂ）それぞれで焦点距離が互いに等しいものが用いられるのが好適である。
【手続補正１５】
【補正対象書類名】図面
【補正対象項目名】図１７
【補正方法】変更
【補正の内容】
【図１７】
2004102075.tif 000004
【手続補正１６】
【補正対象書類名】図面
【補正対象項目名】図１８
【補正方法】変更
【補正の内容】
【図１８】
2004102075.tif 000005
【手続補正１７】
【補正対象書類名】図面
【補正対象項目名】図２１
【補正方法】変更
【補正の内容】
【図２１】
2004102075.tif 000006
【手続補正１８】
【補正対象書類名】図面
【補正対象項目名】図２２
【補正方法】変更
【補正の内容】
【図２２】
2004102075.tif 000007
【手続補正１９】
【補正対象書類名】図面
【補正対象項目名】図２５
【補正方法】変更
【補正の内容】
【図２５】
2004102075.tif 000008